(57)【要約】【課題】  口金を回転する必要がなく、且つ口金とソケットの位置を気にすることなく、簡単に口金をソケットに着脱できる電球形蛍光ランプを提供することを目的とする。【解決手段】  電球形蛍光ランプ１において、口金２等を固定するハウジング１ａに設けられたプッシュスイッチ９と、このプッシュスイッチ９に連結し、プッシュスイッチ９の操作に連動して口金２内を軸方向に移動する固定用治具８と、口金２の側壁部に設けられ、固定用治具８の移動に伴い側壁部を出入りし、側壁部から突出したときに器具側ソケットの螺旋形状の溝５ａに係合する固定端子３とを備えたことを特徴とする。【選択図】        図２
2007115571.tif 000002
【特許請求の範囲】
【請求項１】
電球形蛍光ランプにおいて、
口金の側壁部にラジアル方向に出入り自在のバネ式の先端が尖った複数の固定端子を設け、器具側ソケットに前記口金を押し込む、又は引っ張り出す動作により着脱することを特徴とする電球形蛍光ランプ。
【請求項２】
電球形蛍光ランプにおいて、
口金等を固定するハウジングに設けられた操作部と、
この操作部に連結し、該操作部の操作に連動して前記口金内を軸方向に移動する固定用治具と、
前記口金の側壁部に設けられ、前記固定用治具の移動に伴い前記側壁部を出入りし、該側壁部から突出したときに器具側ソケットの螺旋形状の溝に係合する固定端子とを備えたことを特徴とする電球形蛍光ランプ。
【請求項３】
前記固定用治具を、前記口金側に細くなる円錐状に形成し、前記固定用治具の前記口金側への移動により、前記固定端子を前記口金の側壁部より突出させることを特徴とする請求項２記載の電球形蛍光ランプ。
【請求項４】
前記固定用治具を円柱状に形成すると共に、前記固定端子をウイング式とし、前記固定用治具の前記口金側への移動により、前記固定端子を前記口金の側壁部より突出させることを特徴とする請求項２記載の電球形蛍光ランプ。
【請求項５】
電球形蛍光ランプにおいて、
口金内部に設けられ、前記口金の側壁部でラジアル方向に出入り自在の固定端子を有するラッチ式固定用治具と、
このラッチ式固定用治具を遠隔操作するリモートコントローラとを備えたことを特徴とする電球形蛍光ランプ。
【請求項６】
電球形蛍光ランプにおいて、
口金内部に設けられ、前記口金の側壁部でラジアル方向に出入り自在の固定端子を有する磁気ラッチ式固定用治具と、
この磁気ラッチ式固定用治具を操作する磁気装置とを備えたことを特徴とする電球形蛍光ランプ。
【発明の詳細な説明】
【技術分野】
【０００１】
この発明は、ソケットへ口金を差し込むだけで、口金をソケットに装着できる電球形蛍光ランプに関するものである。
【背景技術】
【０００２】
従来のネジ込み式の電球形蛍光ランプとソケットは、取付時は右回し、取外し時は左回しになるようにネジが切ってあるので、着脱の際は決められた方向に回さねばならない。取替え数が多い場合は、可なりの時間が必要になる。
【０００３】
電球形蛍光ランプではないが、素早く誰でも簡単に電球を交換する際、ねじる方向を気にしないで左右どちらかに回すだけで取り外せ、又はめ込む時は電球の口金の突起物とソケットの溝を合わせ押し込みねじるだけで取付ができる電球とソケットが知られている（例えば、特許文献１参照）。
【特許文献１】特開２０００−２８６０２８号公報
【発明の開示】
【発明が解決しようとする課題】
【０００４】
特許文献１記載の電球とソケットは、はめ込む時に電球の口金の突起物とソケットの溝を合わせ押し込みねじる必要がある。また、取り外し時も左右どちらかに電球を回して口金の突起物とソケットの溝を合わせる必要がある。
【０００５】
この発明は、上記のような課題を解決するためになされたもので、口金を回転する必要がなく、且つ口金とソケットの位置を気にすることなく、簡単に口金をソケットに着脱できる電球形蛍光ランプを提供することを目的とする。
【課題を解決するための手段】
【０００６】
この発明に係る電球形蛍光ランプは、電球形蛍光ランプにおいて、口金の側壁部にラジアル方向に出入り自在のバネ式の先端が尖った複数の固定端子を設け、器具側ソケットに前記口金を押し込む、又は引っ張り出す動作により着脱することを特徴とする。
【０００７】
また、この発明に係る電球形蛍光ランプは、電球形蛍光ランプにおいて、口金等を固定するハウジングに設けられた操作部と、この操作部に連結し、操作部の操作に連動して口金内を軸方向に移動する固定用治具と、口金の側壁部に設けられ、固定用治具の移動に伴い側壁部を出入りし、側壁部から突出したときに器具側ソケットの螺旋形状の溝に係合する固定端子とを備えたことを特徴とする。
【０００８】
また、この発明に係る電球形蛍光ランプは、固定用治具を、口金側に細くなる円錐状に形成し、固定用治具の口金側への移動により、固定端子を口金の側壁部より突出させることを特徴とする。
【０００９】
また、この発明に係る電球形蛍光ランプは、固定用治具を円柱状に形成すると共に、固定端子をウイング式とし、固定用治具の口金側への移動により、固定端子を口金の側壁部より突出させることを特徴とする。
【００１０】
また、この発明に係る電球形蛍光ランプは、電球形蛍光ランプにおいて、口金内部に設けられ、口金の側壁部でラジアル方向に出入り自在の固定端子を有するラッチ式固定用治具と、このラッチ式固定用治具を遠隔操作するリモートコントローラとを備えたことを特徴とする。
【００１１】
また、この発明に係る電球形蛍光ランプは、電球形蛍光ランプにおいて、口金内部に設けられ、口金の側壁部でラジアル方向に出入り自在の固定端子を有する磁気ラッチ式固定用治具と、この磁気ラッチ式固定用治具を操作する磁気装置とを備えたことを特徴とする。
【発明の効果】
【００１２】
この発明に係る電球形蛍光ランプは、上記構成により、口金を回転する必要がなく、且つ口金とソケットの位置を気にすることなく、簡単に口金をソケットに着脱できる。
【発明を実施するための最良の形態】
【００１３】
実施の形態１．
図１は実施の形態１を示す図で、電球形蛍光ランプの口金を器具側ソケットに装着した状態を示す部分拡大図である。
図１に示すように、電球形蛍光ランプ１は、端部に口金２を有し、口金２は外管グローブとともにプラスチック製のハウジング１ａに固定されている。口金２には径方向に、バネ固定部７に固定されたバネ４を介して固定端子３が複数（図１では２個）設けられている。固定端子３は、口金２の側壁から突出するように設けられ、器具側ソケット５に装着されないフリーの状態では、複数の固定端子３の先端を結ぶ円の径は、器具側ソケット５の器具側ソケットの螺旋形状の溝５ａの谷の径と同程度で、器具側ソケットの螺旋形状の溝５ａの山の径より大きい。固定端子３の先端はほぼ円錐状に尖っている。固定端子３の少なくとも一つは電極を構成する。また、口金２は、口金のトップ電極６を備える。
【００１４】
電球形蛍光ランプ１の口金２を器具側ソケット５に装着する場合、口金２を器具側ソケット５に押し込む。固定端子３の先端が、例えば円錐状（角錐状でもよい）に尖っているので、その部分が器具側ソケットの螺旋形状の溝５ａの山に当接しバネ４が圧縮されて固定端子３が器具側ソケットの螺旋形状の溝５ａの山を乗り越えて谷に入り込む。これを繰り返し、口金のトップ電極６が器具側ソケット５の頂面に当接し、且つ固定端子３が器具側ソケットの螺旋形状の溝５ａの山を乗り越えて谷に入り込んだところで装着完了となる。電球形蛍光ランプ１の重量は、人間の電球形蛍光ランプ１の口金２を器具側ソケット５に押し込む力に比べれば小さいので、固定端子３の先端の円錐状の部分が器具側ソケットの螺旋形状の溝５ａの山で支持され、その状態が維持される。
【００１５】
この実施の形態１によれば、バネ式の固定端子３を用いたことにより、口金２を回転する必要がなく、且つ口金２と器具側ソケット５の位置を気にすることなく、簡単に口金２を器具側ソケット５に着脱できる電球形蛍光ランプ１を提供することができる。
【００１６】
実施の形態２．
図２は実施の形態２を示す図で、電球形蛍光ランプの口金を器具側ソケットに装着した状態及び取付け・取外し時の状態を示す部分拡大図である。
図２に示すように、電球形蛍光ランプ１の口金２には、口金２の側壁部にラジアル方向に出入りする固定端子３を備える。固定端子３は、図では２個のものを示しているが、複数であればよい。固定端子３の中の一つは電極になるように構成する。さらに、口金２内部には、口金２側に細くなる円錐状の固定用治具８があり、支点１１を有するアーム１０を介してプッシュスイッチ９（操作部の一例）に連結している。プッシュスイッチ９は、口金２や外管グローブを固定するプラスチック製のハウジング１ａに設けられて、プッシュスイッチ９の操作部となる端部が、ハウジング１ａの外に露出している。
【００１７】
電球形蛍光ランプ１を器具側ソケット５に装着する前は、プッシュスイッチ９はハウジング１ａの外に突出している（図２のＢの位置）。この状態、即ち位置Ｂでは、固定用治具８はランプ側にあり、固定端子３は口金２の側壁部から突出せずに引っ込んでいる。
【００１８】
電球形蛍光ランプ１を器具側ソケット５に装着するときは、プッシュスイッチ９はハウジング１ａの外に突出している状態で（図２のＢの位置）、口金２が口金のトップ電極６が器具側ソケット５の頂面に当接するまで電球形蛍光ランプ１を器具側ソケット５に挿入する。口金のトップ電極６が器具側ソケット５の頂面に当接したら、プッシュスイッチ９を押す。すると、中間に支点１１を有するアーム１０により固定用治具８が口金２側に移動し、同時に固定端子３はラジアル方向に外側に押し出され、固定端子３の先端が器具側ソケットの螺旋形状の溝５ａに係合して支持される。
【００１９】
電球形蛍光ランプ１を器具側ソケット５から取り外すときは、プッシュスイッチ９を操作して、図２の位置Ａから位置Ｂに戻せば、固定用治具８が反口金２側に移動し、固定端子３も器具側ソケットの螺旋形状の溝５ａから外れて引っ込むので、容易に取り外すことができる。
【００２０】
この実施の形態２によれば、プッシュスイッチ９により出入りする固定端子３を用いたことにより、電球形蛍光ランプ１の口金２を器具側ソケット５に挿入しプッシュスイッチ９を押すだけで、電球形蛍光ランプ１を器具に装着できる。電球形蛍光ランプ１を器具から取り外すときも、プッシュスイッチ９の操作で簡単に取り外すことができる。
【００２１】
実施の形態３．
図３は実施の形態３を示す図で、電球形蛍光ランプの口金を器具側ソケットに装着した状態及び取付け・取外し時の状態を示す部分拡大図である。
実施の形態２と異なる点は、プッシュスイッチ９（操作部の一例）と固定用治具８とを連結する部分が、軸１２ａを中心に回転する、例えば楕円状の回転式治具１２と、固定用治具８と回転式治具１２とを連結する第１のアーム１０ａと、プッシュスイッチ９と回転式治具１２とを連結する第２のアーム１０ｂとで構成される点である。
【００２２】
図３の場合も、プッシュスイッチ９がハウジング１ａの外に突出している状態で（図３のＢの位置）、電球形蛍光ランプ１を器具側ソケット５に挿入、又は取り外す。また、プッシュスイッチ９を押した状態で（図３のＡの位置）、電球形蛍光ランプ１は器具側ソケット５に装着され固定される。
【００２３】
この実施の形態３によれば、実施の形態２と同様、プッシュスイッチ９により出入りする固定端子３を用いたことにより、電球形蛍光ランプ１の口金２を器具側ソケット５に挿入しプッシュスイッチ９を押すだけで、電球形蛍光ランプ１を器具に装着できる。電球形蛍光ランプ１を器具から取り外すときも、プッシュスイッチ９の操作で簡単に取り外すことができる。
【００２４】
実施の形態４．
図４は実施の形態４を示す図で、電球形蛍光ランプの口金を器具側ソケットに装着した状態及び取付け・取外し時の状態を示す部分拡大図である。
実施の形態２と異なる点は、プッシュスイッチ９に代えてレバー１３（操作部の一例）を用いる点、アーム１０がほぼ直角に屈曲している点、さらにアーム１０の支点がハウジング１ａに位置する点である。
【００２５】
レバー１３を口金２から離れる位置Ａにすると、固定用治具８が口金２内へ移動し、それに伴い固定端子３が口金２のラジアル方向に突出して、器具側ソケットの螺旋形状の溝５ａに係合する。
【００２６】
また、レバー１３を口金２に近づく位置Ｂにすると、固定用治具８がランプ側に移動し、それに伴い固定端子３が引っ込む。この状態で、電球形蛍光ランプ１の取付け・取外しができる。
【００２７】
この実施の形態によれば、レバー１３の操作により出入りする固定端子３を用いたことにより、電球形蛍光ランプ１の口金２を器具側ソケット５に挿入しレバー１３の操作で、電球形蛍光ランプ１を器具に装着できる。電球形蛍光ランプ１を器具から取り外すときも、レバー１３の操作で簡単に取り外すことができる。
【００２８】
実施の形態５．
図５は実施の形態５を示す図で、電球形蛍光ランプの口金を器具側ソケットに装着した状態及び取付け・取外し時の状態を示す部分拡大図である。
実施の形態４と異なる点は、レバー１３に代えてスライド式スイッチ１４（操作部の一例）を用いる点、屈曲したアーム１０の屈曲部が支点１１となる点である。
【００２９】
スライド式スイッチ１４を口金２から離れる位置Ａにすると、固定用治具８が口金２内へ移動し、それに伴い固定端子３が口金２のラジアル方向に突出して、器具側ソケットの螺旋形状の溝５ａに係合する。
【００３０】
また、スライド式スイッチ１４を口金２に近づく位置Ｂにすると、固定用治具８がランプ側に移動し、それに伴い固定端子３が引っ込む。この状態で、電球形蛍光ランプ１の取付け・取外しができる。
【００３１】
この実施の形態によれば、スライド式スイッチ１４の操作により出入りする固定端子３を用いたことにより、電球形蛍光ランプ１の口金２を器具側ソケット５に挿入しスライド式スイッチ１４の操作で、電球形蛍光ランプ１を器具に装着できる。電球形蛍光ランプ１を器具から取り外すときも、スライド式スイッチ１４の操作で簡単に取り外すことができる。
【００３２】
実施の形態６．
図６は実施の形態６を示す図で、電球形蛍光ランプの口金を器具側ソケットに装着した状態及び取付け・取外し時の状態を示す部分拡大図である。
図６に示すように、ハウジング１ａに設けられた操作部１７にアーム１０を介して連結した円柱状固定用治具１６（固定用治具の一例）が、口金２内をランプ軸方向に操作部１７の操作により移動し、ウイング式固定端子１５の一端を反ランプ側に動かし、それと伴い他端が口金２の側壁から突出して、器具側ソケットの螺旋形状の溝５ａに係合する。この状態で、電球形蛍光ランプ１は器具に装着されて固定される（図６のＡの位置）。
【００３３】
操作部１７の操作により、アーム１０を介して円柱状固定用治具１６をランプ側に移動させると、ウイング式固定端子１５は口金２内に引っ込み（図６のＢの位置）、電球形蛍光ランプ１を器具に取付け・取外しができる。
【００３４】
操作部１７は、実施の形態２，３のプッシュスイッチ方式、実施の形態４のレバー方式、実施の形態５のスライド方式を用いることができる。
【００３５】
この実施の形態によれば、操作部１７の操作により出入りするウイング式固定端子１５を用いたことにより、電球形蛍光ランプ１の口金２を器具側ソケット５に挿入し操作部１７の操作で、電球形蛍光ランプ１を器具に装着できる。電球形蛍光ランプ１を器具から取り外すときも、操作部１７の操作で簡単に取り外すことができる。
【００３６】
実施の形態７．
図７は実施の形態７を示す図で、電球形蛍光ランプの口金を器具側ソケットに装着した状態及び取付け・取外し時の状態を示す部分拡大図である。
図７に示すように、口金２内部にラッチ式固定用治具１９を備え、さらに、ランプ外部のリモコン２０からの信号により口金２のラジアル方向に突出して器具側ソケットの螺旋形状の溝５ａに係合し、又は突出した状態から口金２内に引っ込む固定端子１８を有する。
【００３７】
この実施の形態によれば、リモコン２０の操作により固定端子１８が出入りするラッチ式固定用治具１９を用いたことにより、電球形蛍光ランプ１の口金２を器具側ソケット５に挿入しリモコン２０の操作で、電球形蛍光ランプ１を器具に装着できる。電球形蛍光ランプ１を器具から取り外すときも、リモコン２０の操作で簡単に取り外すことができる。
【００３８】
実施の形態８．
図８は実施の形態８を示す図で、電球形蛍光ランプの口金を器具側ソケットに装着した状態及び取付け・取外し時の状態を示す部分拡大図である。
図８に示すように、口金２内部に磁気ラッチ式固定用治具２１を備え、さらに、ランプ外部の磁気装置２２からの磁気により口金２のラジアル方向に突出して器具側ソケットの螺旋形状の溝５ａに係合し、又は突出した状態から口金２内に引っ込む固定端子１８を有する。
【００３９】
この実施の形態によれば、磁気装置２２の操作により固定端子１８が出入りする磁気ラッチ式固定用治具２１を用いたことにより、電球形蛍光ランプ１の口金２を器具側ソケット５に挿入し磁気装置２２の操作で、電球形蛍光ランプ１を器具に装着できる。電球形蛍光ランプ１を器具から取り外すときも、磁気装置２２の操作で簡単に取り外すことができる。
【図面の簡単な説明】
【００４０】
【図１】実施の形態１を示す図で、電球形蛍光ランプの口金を器具側ソケットに装着した状態を示す部分拡大図である。
【図２】実施の形態２を示す図で、電球形蛍光ランプの口金を器具側ソケットに装着した状態及び取付け・取外し時の状態を示す部分拡大図である。
【図３】実施の形態３を示す図で、電球形蛍光ランプの口金を器具側ソケットに装着した状態及び取付け・取外し時の状態を示す部分拡大図である。
【図４】実施の形態４を示す図で、電球形蛍光ランプの口金を器具側ソケットに装着した状態及び取付け・取外し時の状態を示す部分拡大図である。
【図５】実施の形態５を示す図で、電球形蛍光ランプの口金を器具側ソケットに装着した状態及び取付け・取外し時の状態を示す部分拡大図である。
【図６】実施の形態６を示す図で、電球形蛍光ランプの口金を器具側ソケットに装着した状態及び取付け・取外し時の状態を示す部分拡大図である。
【図７】実施の形態７を示す図で、電球形蛍光ランプの口金を器具側ソケットに装着した状態及び取付け・取外し時の状態を示す部分拡大図である。
【図８】実施の形態８を示す図で、電球形蛍光ランプの口金を器具側ソケットに装着した状態及び取付け・取外し時の状態を示す部分拡大図である。
【符号の説明】
【００４１】
１  電球形蛍光ランプ、１ａ  ハウジング、２  口金、３  固定端子、４  バネ、５  器具側ソケット、５ａ  器具側ソケットの螺旋形状の溝、６  口金のトップ電極、７  バネ固定部、８  固定用治具、９  プッシュスイッチ、１０  アーム、１０ａ  第１のアーム、１０ｂ  第２のアーム、１１  支点、１２  回転式治具、１２ａ  軸、１３  レバー、１４  スライド式スイッチ、１５  ウイング式固定端子、１６  円柱状固定用治具、１７  操作部、１８  固定端子、１９  ラッチ式固定用治具、２０  リモコン、２１  磁気ラッチ式固定用治具、２２  磁気装置。
【図１】
2007115571.tif 000003
【図２】
2007115571.tif 000004
【図３】
2007115571.tif 000005
【図４】
2007115571.tif 000006
【図５】
2007115571.tif 000007
【図６】
2007115571.tif 000008
【図７】
2007115571.tif 000009
【図８】
2007115571.tif 000010